【手続補正書】
【提出日】平成20年10月29日(2008.10.29)
【手続補正１】
【補正対象書類名】明細書
【補正対象項目名】特許請求の範囲
【補正方法】変更
【補正の内容】
【特許請求の範囲】
【請求項１】  マークアップ言語でエンコードされた電子文書を処理するためのコンピュータネットワークシステムであって、
通信チャンネルと、
前記通信チャンネルと通信する第１サーバーとを備え、この第１サーバーは、前記マークアップ言語における第１エレメントに対する定義を含む第１スキーマを記憶し、この第１エレメントの定義は、更に、前記マークアップ言語における第１サブエレメントを含み、
前記通信チャンネルと通信する第２サーバーを更に備え、この第２サーバーは、前記マークアップ言語における第２エレメントに対する定義を含む第２スキーマを記憶し、この第２エレメントの定義は、更に、前記第１サブエレメントと、前記マークアップ言語における第２サブエレメントとを含む、
ことを特徴とするコンピュータネットワークシステム。
【請求項２】  前記通信チャンネルはローカルエリアネットワーク（ＬＡＮ）を含む、請求項１に記載のコンピュータネットワークシステム。
【請求項３】  前記ローカルエリアネットワークは更に、イーサネット（登録商標）ＬＡＮを含む、請求項２に記載のコンピュータネットワークシステム。
【請求項４】  前記通信チャンネルはワイドエリアネットワーク（ＷＡＮ）を含む、請求項１に記載のコンピュータネットワークシステム。
【請求項５】  前記通信チャンネルはインターネットを含む、請求項１に記載のコンピュータネットワークシステム。
【請求項６】  前記マークアップ言語はＸＭＬを含む、請求項１に記載のコンピュータネットワークシステム。
【請求項７】  前記通信チャンネルと通信する第３サーバーを更に備え、この第３サーバーは、前記第１スキーマの使用により解釈（インタープリタ）される第１のＸＭＬ文書インスタンスを記憶する、請求項６に記載のコンピュータネットワークシステム。
【請求項８】  前記第１文書インスタンスは前記第１エレメントを含む、請求項７に記載のコンピュータネットワークシステム。
【請求項９】  前記第１文書インスタンスは前記第２エレメントを含み、前記第１文書インスタンスにおいて前記第１エレメントに対して指定された位置に第２エレメントが使用されるようにする、請求項７に記載のコンピュータネットワークシステム。
【請求項１０】  前記通信チャンネルと通信する第４サーバーを更に備え、この第４サーバーは、前記第２スキーマの使用により解釈（インタープリタ）される第２のＸＭＬ文書インスタンスを記憶する、請求項９に記載のコンピュータネットワークシステム。
【請求項１１】  前記第２文書インスタンスは前記第２エレメントを含む、請求項１０に記載のコンピュータネットワークシステム。
【請求項１２】  前記第２エレメントは、前記第２文書インスタンスにおいて第１エレメントに対して指定された位置に使用される、請求項１１に記載のコンピュータネットワークシステム。
【請求項１３】  前記第１文書インスタンス及び第２文書インスタンスは、購入オーダー、購入オーダーの確認、オーダー状態チェック、入手性チェック、価格チェック、インボイス及びインボイス確認の少なくとも１つの文書形式に対応する、請求項１０に記載のコンピュータネットワークシステム。
【請求項１４】  第１電子文書に使用される第１タグの定義を拡張する方法であって、
前記第１電子文書はマークアップ言語でコード化(encode)され、そして前記第１電子文書は、コンピュータネットワークのサーバーに記憶され、
第１スキーマにおいて前記第１タグを定義する処理であって、この第１タグの定義が前記マークアップ言語からの複数のエレメントを含む当該処理と、
第２スキーマにおいて第２タグを定義する処理であって、この第２タグの定義が、前記第１タグを拡張すべきものとして識別する前記第１タグに対するリファレンス（参照）と、前記マークアップ言語からの追加要素とを含む当該処理と、
前記第１電子文書において前記第１スキーマ及び前記第２スキーマを見つけ出すためのリファレンスを提供する処理であって、前記第２タグは、前記第１電子文書内のテキストをコード化するために様々な形態で使用される当該処理とを含み、
これにより、前記第１スキーマ及び前記第２のスキーマが、前記第１タグ又は前記第２タグのそれぞれを使用できるようになる前記方法。
【請求項１５】  前記マークアップ言語のためのパーザー(parser)によりパージング(構文解析)される第１電子文書パージング処理を更に含み、前記パーザーが前記サーバーに格納されていることを特徴とする、請求項１４に記載の方法。
【請求項１６】  前記マークアップ言語はＸＭＬである、請求項１５に記載の方法。
【請求項１７】  前記第１文書は、購入オーダー、購入オーダーの確認、オーダー状態チェック、入手性チェック、価格チェック、インボイス及びインボイス確認の少なくとも１つに対応している、請求項１６に記載の方法。
【請求項１８】  第２電子文書において前記第２スキーマをアクセスする処理を更に含み、前記第２タグを使用して前記第２電子文書をコード化する、請求項１４に記載の方法。
【請求項１９】  前記マークアップ言語のためのパーザー(parser)によりパージング(構文解析)される第２文書パージング処理を更に含み、前記パーザーが前記サーバーに格納されていることを特徴とする、請求項１８に記載の方法。
【請求項２０】  前記マークアップ言語はＸＭＬである、請求項１９に記載の方法。
【請求項２１】  前記第２文書は商業的トランザクションに対応する、請求項２０に記載の方法。
【請求項２２】  前記商業的トランザクションは、購入オーダー、購入オーダー確認、オーダー状態チェック、入手性チェック、価格チェック、インボイス及びインボイス確認より成るグループから選択される、請求項２１に記載の方法。
【請求項２３】  マークアップ言語の文書インスタンスを処理するためのコンピュータネットワークシステムであって、
前記コンピュータネットワークシステムの第１スキーマにおいて、マークアップ言語からの複数のエレメントを含む第１タグを定義する手段と、
前記コンピュータネットワークシステムに存在する第２スキーマの使用により前記第１タグの定義を様々な形態に拡張する手段であって、前記第２スキーマは、前記マークアップ言語からの複数のエレメントを前記第２スキーマに組み入れる前記第１タグに対するリファレンスによって、及び追加のエレメントによって、第２タグを定義する当該手段と、
前記第２スキーマを前記文書インスタンスにインポートする手段と、
を備えたコンピュータネットワークシステム。
【請求項２４】  前記マークアップ言語はＸＭＬである、請求項２３に記載のコンピュータネットワークシステム。
【請求項２５】  前記前記第１タグの拡張のために使用する手段を更に備え、
当該第１タグの拡張は、前記文書インスタンス内の第１タグ用にとっておいた位置（ロケーション）で使用されることを特徴とする、請求項２３に記載のコンピュータネットワークシステム。
【請求項２６】  複数のサーバーを備えたコンピュータネットワークシステムにおいて、それら複数のサーバーのうちの第１サーバーに存在するＸＭＬ文書を解釈（インタープリタ）するための方法であって、
前記複数のサーバー内の第２サーバーから第１スキーマにアクセスする処理であって、この第１スキーマは、テキストをコード化する(encode)ために文書インスタンスで使用される１つ以上のエレメントを定義する当該処理と、さらに、
前記複数のサーバーの第３サーバーから第２スキーマにアクセスする処理であって、この第２スキーマは、前記少なくとも１つのエレメント及び少なくとも１つの追加エレメントを含み且つこれらを参照する新たなエレメントを定義することによって、前記文書インスタンスで使用される１つ以上のエレメントから少なくとも１つのエレメントを拡張するという当該処理とを含む前記方法。
【請求項２７】  前記コンピュータネットワークシステムを使用して、２つ以上の取引当事者間の商業的トランザクションを実行する、請求項２６に記載の方法。
【請求項２８】  前記ＸＭＬ文書は商業的トランザクションに対応する、請求項２７に記載の方法。
【請求項２９】  前記商業的トランザクションは、購入オーダー、購入オーダー確認、オーダー状態チェック、入手性チェック、価格チェック、インボイス及びインボイス確認の１つである、請求項２８に記載の方法。
【請求項３０】  前記複数のサーバーのうちの第４サーバーに存在するＸＭＬプロセッサによりパージング（構文解析）されるＸＭＬ文書パージング処理を更に含む、請求項２６に記載の方法。
【請求項３１】  第１電子文書に使用される第１タグの定義を拡張する方法であって、
前記第１電子文書はマークアップ言語でコード化(encode)され、そして前記第１電子文書は、コンピュータネットワークのサーバーに記憶され、
第１スキーマにおいて前記第１タグを定義する処理と、
第２スキーマにおいて第２タグを定義する処理であって、前記第２タグの定義には前記第１タグ及び前記マークアップ言語からの追加タグに対するリファレンスを含む当該処理と、
前記第１電子文書内の第１スキーマ及び第２スキーマを見つけ出すためにリファレンスを提供する処理であって、前記第１タグ及び前記第２タグは、前記第１電子文書内のテキストをコード化されるために様々な形態で利用できるようにされている当該処理とを含み、
これにより、前記コード化の処理が前記第１タグの作用域にあるときは、前記アプリケーションを修正することなく、前記第１タグとともに機能するように設計されたアプリケーションが前記第２タグを用いてコード化されたテキストを処理し、文書タイプ及びアプリケーションが別個に展開され得る前記方法。
【請求項３２】  前記第１スキーマ及び前記第２スキーマは別々のサーバーに存在する、請求項３１に記載の方法。